(57)【特許請求の範囲】
【請求項１】
ファン（１５）と、
前記ファンの周囲を覆うベルマウス（７２）と、
空気流れが上方に向かうように前記ファンおよび前記ベルマウスを内部に収容しており、上端縁部が平坦形状（８４、８９、９４、９９）であるケーシング（４０）と、
前記ケーシングの前記上端縁部よりも下方で前記ベルマウスの上端よりも上方であって平面視における前記ベルマウスの上端よりも外側に設けられており、上方に向かうほど前記ファンの回転軸（７５）から離れるように傾斜したディフューザ面（９１、９１ａ、９６、２９１）と、
を備え、
前記ケーシングは、前記ベルマウスの側方を覆う複数の側面（９３、９８、８０、８５）を有しており、
複数の前記側面のうちの少なくとも１つ（８０、８５）は、前記ベルマウスの上端縁部との隙間が小さくなるように前記ベルマウス側に向けて凹んだ形状（８１、８６）を有している、
冷凍装置（１）の室外ユニット（２、２０２）。
【請求項２】
前記ディフューザ面（９１、９１ａ、９６、２９１）は、前記ケーシングの前記上端縁部まで広がっている、
請求項１に記載の冷凍装置の室外ユニット。
【請求項３】
前記側面と前記ディフューザ面（９１、９６、２９１）とは、一体形成されている、
請求項２に記載の冷凍装置の室外ユニット。
【請求項４】
前記側面（９３ｂ）を有する部材（９０ｂ）と前記ディフューザ面（９１ａ）を有する部材（９０ａ）とは、別部材であり、
前記側面を有する部材と前記ディフューザ面を有する部材とは、鉛直方向に延びる螺子（６９ａ）によって前記ケーシングの上方部分で固定されている、
請求項２に記載の冷凍装置の室外ユニット。
【請求項５】
ファン（１５）と、
前記ファンの周囲を覆うベルマウス（７２）と、
空気流れが上方に向かうように前記ファンおよび前記ベルマウスを内部に収容しており、上端縁部が平坦形状（８４、８９、９４、９９）であり、前記ベルマウスの側方を覆う側面（９３、９８、２９３）を有しているケーシング（４０）と、
前記ケーシングの前記上端縁部よりも下方で前記ベルマウスの上端よりも上方であって平面視における前記ベルマウスの上端よりも外側に設けられており、上方に向かうほど前記ファンの回転軸（７５）から離れるように傾斜し、前記ケーシングの前記上端縁部まで広がっているディフューザ面（９１、９１ａ、９６、２９１）と、
を備え、
前記側面と前記ディフューザ面（９１、９６、２９１）とは、一体形成されることで一体化物（９０、９５）を構成しており、
前記一体化物の下端は、前記ベルマウスの上端と重なる位置まで下方に延びている、
冷凍装置（１）の室外ユニット（２、２０２）。
【請求項６】
前記ディフューザ面の下端から鉛直方向下方に向けて前記ベルマウスの上端縁部まで延びた連絡面（９２、９２ａ、９７、２９２）をさらに備えた、
請求項１から５のいずれか１項に記載の冷凍装置の室外ユニット。
【請求項７】
前記ディフューザ面は、平面である、
請求項１から６のいずれか１項に記載の冷凍装置の室外ユニット。
【発明の詳細な説明】
【技術分野】
【０００１】
本発明は、冷凍装置の室外ユニットに関する。
【背景技術】
【０００２】
従来より、空気を上方に吹き出すように設けられたファンと、当該ファンを内部に収容するケーシングと、を備えた上吹きタイプの室外ユニットが提案されている。
【０００３】
例えば、特許文献１に記載の上吹きタイプの室外ユニットでは、ファンを収容しているケーシングの上端部は、平坦であり、略同一平面に位置するように構成されている。
【０００４】
このため、例えば、倉庫に複数の室外ユニットを保管する場合等において、室外ユニットの上にさらに一台または複数台の室外ユニットを縦に積層して配置することが容易であり、積層配置を安定させることも可能になる。
【発明の開示】
【発明が解決しようとする課題】
【０００５】
ここで、上記特許文献１に記載の上吹きタイプの室外ユニットでは、ベルマウスの出口側には、側板で囲われた平面視が略長方形の大きな流路が続く構造となっている。この構造によれば、ベルマウスを通過した直後に、流路面積が急激に拡大することになる。
【０００６】
ところが、このように流路面積が急拡大する部分においては、拡大している部分の側方において空気渦が生じてしまい、空気流れを良好にすることができず、室外ユニットにおける風量を十分に増大させることができないおそれがある。
【０００７】
本発明は、上述した点に鑑みてなされたものであり、縦に積層配置させやすく、且つ、風量を増大させることが可能な冷凍装置の室外ユニットを提供することにある。
【課題を解決するための手段】
【０００８】
第１観点に係る冷凍装置の室外ユニットは、ファンと、ベルマウスと、ケーシングと、ディフューザ面と、を備えている。ベルマウスは、ファンの周囲を覆っている。ケーシングは、空気流れが上方に向かうようにファンおよびベルマウスを内部に収容している。ケーシングは、上端縁部が平坦形状である。ディフューザ面は、ケーシングの上端縁部よりも下方でベルマウスの上端よりも上方であって平面視におけるベルマウスの上端よりも外側に設けられている。ディフューザ面は、上方に向かうほどファンの回転軸から離れるように傾斜している。ケーシングは、ベルマウスの側方を覆う複数の側面を有している。複数の側面のうちの少なくとも１つは、ベルマウスの上端縁部との隙間が小さくなるようにベルマウス側に向けて凹んだ形状を有している。
【０００９】
なお、ディフューザ面は、ケーシングの上端縁部よりも下方でベルマウスの上端よりも上方であって平面視におけるベルマウスの上端よりも外側に設けられており、上方に向かうほどファンの回転軸から離れるように傾斜しているものであれば特に限定されず、傾斜角度の異なる複数の面がつらなるようにして構成されていてもよいし、曲面であってもよい。また、ディフューザ面は、ケーシングの上端縁部よりも下方でベルマウスの上端よりも上方であって平面視におけるベルマウスの上端よりも外側において、上方に向かうほどファンの回転軸から離れるように傾斜した面が、ファンの回転軸が延びる方向において連続的に広がるように設けられる必要は無い。例えば、ファンの回転軸から離れるように傾斜した面が複数存在し、これらがファンの回転軸が延びる方向において互いに離れて配置される等のように、ディフューザ面は複数設けられていてもよい。
【００１０】
この冷凍装置の室外ユニットでは、ケーシングの上端縁部の平坦形状箇所を、複数の室外ユニットを縦に積載させる際の載置箇所として用いることができる。このため、複数の室外ユニットを縦に積載して安定的に配置することができ、保管場所の確保が容易になる。また、この室外ユニットは、ケーシングの上端縁部よりも下方でベルマウスの上端よりも上方であって平面視におけるベルマウスの上端よりも外側にディフューザ面が設けられている。このため、ベルマウスによって形成される流路を通過した空気流れは、ケーシングの出口によって形成されるより大きな流路を通過する前の段階で、通過面積がなだらかに拡大するディフューザ面によって形成された流路を流れる。このため、ベルマウスを通過した直後に、空気流れの通過面積が急激に拡大することを防いで、ベルマウスの通過直後に空気渦が生じてしまうことを抑制し、空気流れを良好にすることが可能になる。これにより、縦に積層配置させやすいだけでなく、風量を増大させることも可能になる。
【００１１】
また、この冷凍装置の室外ユニットでは、ベルマウス側に向けて凹んだ形状を有している側面が設けられている。このため、ベルマウス側に向けて凹んだ形状の部分においてベルマウス通過後の流路の急拡大を抑制することができ、ベルマウス通過後における空気渦の発生を抑制させることが可能になる。
【００１２】
第２観点に係る冷凍装置の室外ユニットは、第１観点に係る冷凍装置の室外ユニットであって、ディフューザ面は、ケーシングの上端縁部まで広がっている。
【００１３】
この冷凍装置の室外ユニットでは、ディフューザ面は、ケーシングの上端縁部まで外側に広がるように設けられている。このため、平面視においてケーシングの側面周辺までディフューザ面を広く確保することが可能になり、より風量を増大させることが可能になる。
【００１４】
なお、例えば、ケーシングの上端出口に網（例えば、金網）を設けている場合には、当該網に空気流れが当たる際の圧力損失を低減させる効果が得られる。
【００１５】
第３観点に係る冷凍装置の室外ユニットは、第２観点に係る冷凍装置の室外ユニットであって、側面とディフューザ面とは、一体形成されている。
【００１６】
この冷凍装置の室外ユニットでは、側面とディフューザ面とが一体形成されているため、両者を螺子によって固定する必要が無く（螺子を省略できる点で部品点数を削減でき）、取り付け作業を容易にすることができると共に、螺子を用いないことで意匠性を向上させることが可能になる。
【００１７】
第４観点に係る冷凍装置の室外ユニットは、第２観点に係る冷凍装置の室外ユニットであって、側面を有する部材とディフューザ面を有する部材とは、別部材である。側面を有する部材とディフューザ面を有する部材とは、鉛直方向に延びる螺子によってケーシングの上方部分で固定されている。
【００１８】
この冷凍装置の室外ユニットでは、側面を有する部材とディフューザ面を有する部材とが別部材であるが、側面を有する部材とディフューザ面を有する部材とが鉛直方向に延びる螺子によってケーシングの上方部分で固定されている。このため、ケーシングの側方からは螺子が見えにくい構造とすることができ、ケーシングの側方からの外観をすっきりさせることが可能になる。
【００１９】
第５観点に係る冷凍装置の室外ユニットは、ファンと、ベルマウスと、ケーシングと、ディフューザ面と、を備えている。ベルマウスは、ファンの周囲を覆っている。ケーシングは、空気流れが上方に向かうようにファンおよびベルマウスを内部に収容している。ケーシングは、上端縁部が平坦形状である。ディフューザ面は、ケーシングの上端縁部よりも下方でベルマウスの上端よりも上方であって平面視におけるベルマウスの上端よりも外側に設けられている。ディフューザ面は、上方に向かうほどファンの回転軸から離れるように傾斜している。ディフューザ面は、ケーシングの上端縁部まで広がっている。側面とディフューザ面とは、一体形成されている。
【００２０】
なお、ディフューザ面は、ケーシングの上端縁部よりも下方でベルマウスの上端よりも上方であって平面視におけるベルマウスの上端よりも外側に設けられており、上方に向かうほどファンの回転軸から離れるように傾斜しているものであれば特に限定されず、傾斜角度の異なる複数の面がつらなるようにして構成されていてもよいし、曲面であってもよい。また、ディフューザ面は、ケーシングの上端縁部よりも下方でベルマウスの上端よりも上方であって平面視におけるベルマウスの上端よりも外側において、上方に向かうほどファンの回転軸から離れるように傾斜した面が、ファンの回転軸が延びる方向において連続的に広がるように設けられる必要は無い。例えば、ファンの回転軸から離れるように傾斜した面が複数存在し、これらがファンの回転軸が延びる方向において互いに離れて配置される等のように、ディフューザ面は複数設けられていてもよい。
【００２１】
この冷凍装置の室外ユニットでは、ケーシングの上端縁部の平坦形状箇所を、複数の室外ユニットを縦に積載させる際の載置箇所として用いることができる。このため、複数の室外ユニットを縦に積載して安定的に配置することができ、保管場所の確保が容易になる。また、この室外ユニットは、ケーシングの上端縁部よりも下方でベルマウスの上端よりも上方であって平面視におけるベルマウスの上端よりも外側にディフューザ面が設けられている。このため、ベルマウスによって形成される流路を通過した空気流れは、ケーシングの出口によって形成されるより大きな流路を通過する前の段階で、通過面積がなだらかに拡大するディフューザ面によって形成された流路を流れる。このため、ベルマウスを通過した直後に、空気流れの通過面積が急激に拡大することを防いで、ベルマウスの通過直後に空気渦が生じてしまうことを抑制し、空気流れを良好にすることが可能になる。これにより、縦に積層配置させやすいだけでなく、風量を増大させることも可能になる。
【００２２】
また、この冷凍装置の室外ユニットでは、ディフューザ面は、ケーシングの上端縁部まで外側に広がるように設けられている。このため、平面視においてケーシングの側面周辺までディフューザ面を広く確保することが可能になり、より風量を増大させることが可能になる。
【００２３】
なお、例えば、ケーシングの上端出口に網（例えば、金網）を設けている場合には、当該網に空気流れが当たる際の圧力損失を低減させる効果が得られる。
【００２４】
また、この冷凍装置の室外ユニットでは、側面とディフューザ面とが一体形成されているため、両者を螺子によって固定する必要が無く（螺子を省略できる点で部品点数を削減でき）、取り付け作業を容易にすることができると共に、螺子を用いないことで意匠性を向上させることが可能になる。
【００２５】
第６観点に係る冷凍装置の室外ユニットは、第１観点から第５観点のいずれかに係る冷凍装置の室外ユニットであって、連絡面をさらに備えている。連絡面は、ディフューザ面の下端から鉛直方向下方に向けてベルマウスの上端縁部まで延びている。
【００２６】
なお、ベルマウスの上端縁部まで延びるとは、ベルマウスの下流側の流路形成部分と重なる程度に延びていることが好ましく、ベルマウスの上端縁部に接している必要は無い。また、連絡面は、ディフューザ面の下端全体から下方に延びている必要は無く、ディフューザ面の下端の一部から下方に延びていてもよい。
【００２７】
この冷凍装置の室外ユニットでは、ベルマウスを通過した後の空気流れを、ディフューザ面にまで送る前の段階で、鉛直方向に延びた連絡面によって形成された流路部分において鉛直方向に向けて導くことが可能になる。これにより、空気の流路において鉛直方向に向けて流す部分を確保することが可能になるため、風量をより増大させることが可能になる。
【００２８】
第７観点に係る冷凍装置の室外ユニットは、第１観点から第６観点のいずれかに係る冷凍装置の室外ユニットであって、ディフューザ面は、平面である。
【００２９】
この冷凍装置の室外ユニットでは、ディフューザ面が平面であるため、製造時の加工が容易になる。
【発明の効果】
【００３０】
第１観点に係る冷凍装置の室外ユニットでは、縦に積層配置させやすいだけでなく、風量を増大させることも可能になる。また、ベルマウス側に向けて凹んだ形状の部分においてベルマウス通過後の流路の急拡大を抑制することができ、ベルマウス通過後における空気渦の発生を抑制させることが可能になる。
【００３１】
第２観点に係る冷凍装置の室外ユニットでは、平面視においてケーシングの側面周辺までディフューザ面を広く確保することが可能になり、より風量を増大させることが可能になる。
【００３２】
第３観点に係る冷凍装置の室外ユニットでは、螺子による固定作業が不要であり、意匠性を向上させることが可能になる。
【００３３】
第４観点に係る冷凍装置の室外ユニットでは、ケーシングの側方からの外観をすっきりさせることが可能になる。
【００３４】
第５観点に係る冷凍装置の室外ユニットでは、縦に積層配置させやすいだけでなく、風量を増大させることも可能になり、平面視においてケーシングの側面周辺までディフューザ面を広く確保することでより風量を増大させることが可能になり、螺子による固定作業が不要であり、意匠性を向上させることが可能になる。
【００３５】
第６観点に係る冷凍装置の室外ユニットでは、空気の流路において鉛直方向に向けて流す部分を確保することが可能になるため、風量をより増大させることが可能になる。
【００３６】
第７観点に係る冷凍装置の室外ユニットでは、製造時の加工が容易になる。
【図面の簡単な説明】
【００３７】
【図１】本発明の一実施形態に係る室外ユニットが採用された空気調和装置の概略構成図である。
【図２】室外ユニットの外観斜視図である。
【図３】室外ユニットのケーシング、室外熱交換器およびファンモジュールの分解斜視図である。
【図４】室外熱交換器と室外ファンとケーシングとの位置関係を示す平面図である。
【図５】ケーシングの上方部分と右側ディフューザ面と左側ディフューザ面と左側鉛直曲面とファンモジュールを右上方から見た外観概略斜視図（吹出グリルを除いた状態）である。
【図６】ケーシングの上方部分と右側ディフューザ面と右側鉛直曲面と左側ディフューザ面と左側鉛直曲面とファンモジュールを上方から見た外観概略平面図（吹出グリルを除いた状態）である。
【図７】ケーシングの上方近傍と右側ディフューザ面と右側鉛直曲面と左側ディフューザ面と左側鉛直曲面とファンモジュールを右斜め前方から見た外観概略斜視図（吹出グリルおよび前側送風側板を除いた状態）である。
【図８】ケーシングの上方近傍と左側ディフューザ面と左側鉛直曲面とファンモジュールを右斜め前方から見た外観概略斜視図（吹出グリル、前側送風側板、後側送風側板、右側側面、右側載置面を除いた状態）である。
【図９】右側送風側板の概略外観斜視図である。
【図１０】室外ファンの回転軸を含む前後断面における配置関係を示す図である。
【図１１】室外ファンの回転軸を含む左右断面における配置関係を示す図である。
【図１２】変形例Ａに係る右側ディフューザ面と右側側面が別体の例を示す斜視図である。
【図１３】変形例Ｂに係る室外ユニットの平面図である。
【図１４】変形例Ｂに係る共通送風側板の室外ファンの回転軸側から見た図である。
【発明を実施するための形態】
【００３８】
以下、冷凍装置の室外ユニットの実施形態およびその変形例について、図面に基づいて説明する。なお、冷凍装置の室外ユニットの具体的な構成は、下記の実施形態およびその変形例に限られるものではなく、発明の要旨を逸脱しない範囲で変更可能である。
【００３９】
（１）空気調和装置の構成
図１は、一実施形態に係る室外ユニット２が採用された空気調和装置１の概略構成図である。
【００４０】
空気調和装置１は、蒸気圧縮式の冷凍サイクルを行うことによって、建物等の室内の冷房や暖房を行うことが可能な装置である。空気調和装置１は、主として、室外ユニット２と、室内ユニット３ａ、３ｂとが接続されることによって構成されている。ここで、室外ユニット２と室内ユニット３ａ、３ｂとは、液冷媒連絡管４およびガス冷媒連絡管５を介して接続されている。すなわち、空気調和装置１の蒸気圧縮式の冷媒回路６は、室外ユニット２と、室内ユニット３ａ、３ｂとが冷媒連絡管４、５を介して接続されることによって構成されている。
【００４１】
室外ユニット２は、室外（建物の屋上や建物の壁面近傍等）に設置されており、冷媒回路６の一部を構成している。室外ユニット２は、主として、アキュムレータ７、圧縮機８と、油分離器９と、四路切換弁１０と、室外熱交換器１１と、室外膨張弁１２と、液側閉鎖弁１３と、ガス側閉鎖弁１４と、室外ファン１５と、を有している。各機器および弁間は、冷媒管１６〜２４によって接続されている。
【００４２】
室内ユニット３ａ、３ｂは、室内（居室や天井裏空間等）に設置されており、冷媒回路６の一部を構成している。室内ユニット３ａは、主として、室内膨張弁３１ａと、室内熱交換器３２ａと、室内ファン３３ａと、を有している。室内ユニット３ｂは、主として、室内膨張弁３１ｂと、室内熱交換器３２ｂと、室内ファン３３ｂと、を有している。
【００４３】
冷媒連絡管４、５は、空気調和装置１を建物等の設置場所に設置する際に、現地にて施工される冷媒管である。液冷媒連絡管４の一端は、室外ユニット２の液側閉鎖弁１３に接続され、液冷媒連絡管４の他端は、室内ユニット３ａ、３ｂの室内膨張弁３１ａ、３１ｂの液側端に接続されている。ガス冷媒連絡管５の一端は、室外ユニット２のガス側閉鎖弁１４に接続され、ガス冷媒連絡管５の他端は、室内ユニット３ａ、３ｂの室内熱交換器３２ａ、３２ｂのガス側端に接続されている。
【００４４】
（２）室外ユニットの全体構成
図２は、室外ユニット２の外観斜視図である。図３は、室外ユニット２のケーシング４０、室外熱交換器１１およびファンモジュール７１の分解斜視図である。
【００４５】
なお、以下の説明において、「上」、「下」、「左」、「右」、「前」、「後」、「前面」、「背面」は、特にことわりのない限り、図２に示される室外ユニット２を前方（図面の左斜前側）から見た場合の方向を意味している。
【００４６】
室外ユニット２は、下方からケーシング４０内に空気を取り込んで上方からケーシング４０外に空気を吹き出す上吹き型構造と呼ばれるものである。室外ユニット２は、主として、略直方体箱状のケーシング４０と、右側ディフューザ面９１、右側鉛直曲面９２、左側ディフューザ面９６、左側鉛直曲面９７と、ファンモジュール７１と、吹出グリル７３と、冷媒回路６の一部を構成する冷媒回路構成部品と、を有している。この室外ユニット２が有する冷媒回路構成部品としては、圧縮機８、室外熱交換器１１、アキュムレータ７、油分離器９、四路切換弁１０、室外膨張弁１２、液側閉鎖弁１３、ガス側閉鎖弁１４、および、冷媒管１６〜２４等がある。
【００４７】
ケーシング４０は、主として、左右方向に延びる一対の据付脚４１上に架け渡される底フレーム５１と、底フレーム５１の角部から鉛直方向に延びる支柱６１と、前面パネル６５と、前側送風側板８０と、後側送風側板８５と、右側側面９３と、右側載置面９４と、左側側面９８と、左側載置面９９と、を有している。前側送風側板８０は、ファンモジュール７１の前側を覆っている。後側送風側板８５は、ファンモジュール７１の後側を覆っている。右側側面９３は、ファンモジュール７１の右側を覆っている。右側載置面９４は、ケーシング４０の上端縁部の一部を構成しており、右側側面９３の上端縁部から内側（左側）に向けて水平に広がった面である。左側側面９８は、ファンモジュール７１の左側を覆っている。左側載置面９９は、ケーシング４０の上端縁部の一部を構成しており、左側側面９８の上端縁部から内側（右側）に向けて水平に広がった面である。
【００４８】
底フレーム５１は、ケーシング４０の底面を形成しており、底フレーム５１上には、室外熱交換器１１が設けられている。なお、本実施形態では、底フレーム５１は、左側の第１底フレーム５１ａと右側の第２底フレーム５１ｂとが合わさることで構成されている。ここで、室外熱交換器１１は、ケーシング４０の背面および左右両側面に面する平面視略Ｕ字形状の熱交換器であり、ケーシング４０の背面および左右両側面を実質的に形成している。この室外熱交換器１１は、底フレーム５１の左側縁部、後側縁部、右側縁部の上に沿うように配置されている。
【００４９】
前面パネル６５は、ファンモジュール７１の下方において、前面側の支柱６１間に架け渡されており、ケーシング４０の前面を形成している。
【００５０】
ケーシング４０内には、室外ファン１５および室外熱交換器１１以外の冷媒回路構成部品も収容されている。ここで、圧縮機８は、冷媒を圧縮する機器であり、底フレーム５１上に設けられている。また、アキュムレータ７は、圧縮機８に吸入される前の冷媒を一時的に溜める冷媒容器であり、底フレーム５１上に設けられている。油分離器９は、圧縮機８から吐出された後の冷媒から冷凍機油を分離する機器であり、底フレーム５１上に設けられている。
【００５１】
右側ディフューザ面９１は、ケーシング４０の上端縁部よりも下方でベルマウス７２の上端よりも上方であって平面視におけるベルマウス７２の上端よりも外側に設けられており、上方に向かうほど室外ファン１５の回転軸７５から離れるように傾斜している。具体的には、右側ディフューザ面９１は、平面視において、右側載置面９４の内側縁部（左側縁部）から内側（ベルマウス７２の上端の右側縁部よりやや上方）に向けて斜め下方に広がった平面状の傾斜面である。
【００５２】
右側鉛直曲面９２は、右側ディフューザ面９１の下端縁部からさらに鉛直下方に向けてベルマウス７２の右側の上端近傍まで伸び出した曲面である。
【００５３】
なお、本実施形態では、図９に示すように、右側ディフューザ面９１と、右側鉛直曲面９２と、右側側面９３と、右側載置面９４と、は、１つの板金部材である右側送風側板９０として構成されている。
【００５４】
左側ディフューザ面９６は、右側ディフューザ面９１と同様に、ケーシング４０の上端縁部よりも下方でベルマウス７２の上端よりも上方であって平面視におけるベルマウス７２の上端よりも外側に設けられており、上方に向かうほど室外ファン１５の回転軸７５から離れるように傾斜している。具体的には、左側ディフューザ面９１は、平面視において、左側載置面９９の内側縁部（右側縁部）から内側（ベルマウス７２の上端の左側縁部よりやや上方）に向けて斜め下方に広がった平面状の傾斜面である。
【００５５】
左側鉛直曲面９７は、左側ディフューザ面９６の下端縁部からさらに鉛直下方に向けてベルマウス７２の左側の上端近傍まで伸び出した曲面である。
【００５６】
なお、本実施形態では、左側ディフューザ面９６と、左側鉛直曲面９７と、左側側面９８と、左側載置面９９と、は、１つの板金部材である左側送風側板９５として構成されている。
【００５７】
なお、本実施形態では、前側送風側板８０と、後側送風側板８５と、右側送風側板９０と、左側送風側板９５と、は、いずれも板金製の別部材として構成されている。
【００５８】
ファンモジュール７１は、室外熱交換器１１の上側に設けられており、ベルマウス７２と、室外ファン１５と、を有している。ベルマウス７２は、４つの支柱６１の上端に取り付けられている。ベルマウス７２の下方部分は、底フレーム５１と同様に平面視において矩形の形状となっており、ベルマウス７２の上方部分は軸方向を鉛直方向とする円筒形状となっている。ベルマウス７２の上方部分の円筒形状は、平面視において、下方部分の矩形の形状の内側に位置している。このベルマウス７２の上方部分の円筒形状の部分は、室外ファン１５を周囲から覆っており、空気流れの流路の一部を構成している。ベルマウス７２の下方部分の矩形の形状と上方部分の円筒形状とは、曲面を介してなだらかに繋がっている。室外ファン１５は、ベルマウス７２のうちの上方部分である円筒形状の内側に、回転軸７５の延びる方向が鉛直方向となる姿勢で配置されている（図７参照）。室外ファン１５は、図示しないファンモータと接続されており、駆動制御される。
【００５９】
このファンモジュール７１は、前側が前側送風側板８０によって覆われ、後側が後側送風側板８５によって覆われ、右側が右側側面９３によって覆われ、左側が左側側面９８によって覆われている。これらの前側送風側板８０、後側送風側板８５、右側側面９３および左側側面９８は、上面および下面が開口した略直方体形状の箱体を構成しており、ベルマウス７２や室外ファン１５を内部に収容している。
【００６０】
前側送風側板８０、後側送風側板８５、右側側面９３および左側側面９８は、いずれも支柱６１に固定されており、ケーシング４０における支柱６１の上方部分を構成している。また、前側送風側板８０、後側送風側板８５、右側側面９３、左側側面９８同士は、前後左右の端部近傍において螺合固定されている。
【００６１】
以上の構造により、前側送風側板８０、後側送風側板８５、右側ディフューザ面９１、右側鉛直曲面９２、左側ディフューザ面９６、左側鉛直曲面９７は、ベルマウス７２の上方部分の円筒形状の部分よりも上方（空気流れＦ（図１０、図１１参照）の下流側）において、空気流れを上方に導く流路を形成している。
【００６２】
なお、ファンモジュール７１の上方部分では、主として、右側ディフューザ面９１と左側ディフューザ面９６によって、補助的に、前側送風側板８０の一部である前側傾斜面８３と後側送風側板８５の一部である後側傾斜面８８によって、ディフューザが構成されている。
【００６３】
また、ケーシング４０の上方の出口（ディフューザの上方）には、平面上に広がった吹出グリル７３が設けられている。吹出グリル７３は、特に限定されないが、本実施形態では金属製の金網が用いられている。
【００６４】
（３）室外ユニットのケーシングの上方部分の構造
図４は、室外熱交換器１１と室外ファン１５とケーシング４０との位置関係を示す平面図である。図５は、ケーシング４０の上方部分と右側ディフューザ面９１と左側ディフューザ面９６と左側鉛直曲面９７とファンモジュール７１を右上方から見た外観概略斜視図（吹出グリル７３を除いた状態）である。図６は、ケーシング４０の上方近傍と右側ディフューザ面９１と右側鉛直曲面９２と左側ディフューザ面９６と左側鉛直曲面９７とファンモジュール７１を上方から見た外観概略平面図（吹出グリル７３を除いた状態）である。図７は、ケーシング４０の上方近傍と右側ディフューザ面９１と右側鉛直曲面９２と左側ディフューザ面９６と左側鉛直曲面９７とファンモジュール７１を右斜め前方から見た外観概略斜視図（吹出グリル７３および前側送風側板８０を除いた状態）である。図８は、ケーシング４０の上方近傍と左側ディフューザ面９６と左側鉛直曲面９７とファンモジュール７１を右斜め前方から見た外観概略斜視図（吹出グリル７３、前側送風側板８０、後側送風側板８５、右側側面９３、右側載置面９４を除いた状態）である。図９は、右側送風側板９０の概略外観斜視図である。図１０は、室外ファン１５の回転軸７５を含む前後断面における配置関係を示す図である。図１１は、室外ファン１５の回転軸７５を含む左右断面における配置関係を示す図である。
【００６５】
上述のように、ベルマウス７２の前後左右は、前側送風側板８０、後側送風側板８５、右側側面９３、左側側面９８によって覆われている。
【００６６】
本実施形態においては、前側送風側板８０と後側送風側板８５とは、前後方向に対象的な形状を有しており、右側送風側板９０（右側ディフューザ面９１、右側鉛直曲面９２、右側側面９３、右側載置面９４により構成された部材）と左側送風側板９５（左側ディフューザ面９６、左側鉛直曲面９７、左側側面９８、左側載置面９９により構成された部材）とは、左右方向に対象的な形状を有している。
【００６７】
前側送風側板８０は、前側上面部分８１と、前側下面部分８２と、前側傾斜面８３と、前側載置面８４と、を有している。前側送風側板８０は、１枚の板状部材がプレス加工や折り曲げ加工等されることにより成形されている。前側上面部分８１は、図２、図４、図１０に示すように、ベルマウス７２の上方の円筒形状部分の上端縁部の前側およびその上下近傍を含む前側部分を覆うように、上下左右方向に広がった平面形状の部分である。前側上面部分８１の上方は、ケーシング４０の上端近傍まで広がっている。なお、前側上面部分８１の上端における左右方向の中央近傍は、前側上面部分８１の上端における左右方向の両端近傍と比べると、前側傾斜面８３の下端部分と連続させるために下方に位置している。前側上面部分８１は、前側上面部分８１の下端から、ベルマウス７２の上方の円筒形状部分の上端縁部の前側よりも上方の部分を介して、さらに上方の前側傾斜面８３の下端部分に到るまで、鉛直方向に延びつつ左右に広がった部分を有している。前側下面部分８２は、図２、図４、図１０に示すように、前側上面部分８１の下方に位置しており、ベルマウス７２の下方の矩形部分の前側を覆うように、上下左右方向に広がった平面形状の部分である。前側下面部分８２の下方は、支柱６１の上端まで広がっている。前側載置面８４は、図２、図５、図６、図１０に示すように、ケーシング４０の上端縁部の一部を構成しており、法線方向が鉛直方向となるように平坦状に広がった面である。前側載置面８４は、ケーシング４０の上端縁部の前側を左右方向に延びて縁取るように設けられている。前側載置面８４の左右両端部分近傍の後側端部は、前側上面部分８１の上端と連続している。なお、前側載置面８４の後側端における左右方向の中央近傍は、後側端の左右方向の両端近傍と比べると、前側傾斜面８３の上端部分と連続させるために前側に位置している。前側傾斜面８３は、図２、図５、図６、図１０に示すように、前側載置面８４の後側の左右方向における中央部分と、前側上面部分８１の上端の左右方向における中央部分と、を繋ぐように設けられており、上方ほど室外ファン１５の回転軸７５から離れるように傾斜している。前側傾斜面８３は、長手方向が左右方向になるように、ケーシング４０の上方開口のうちの前側縁部に沿って設けられている。
【００６８】
後側送風側板８５は、後側上面部分８６と、後側下面部分８７と、後側傾斜面８８と、後側載置面８９と、を有している。後側送風側板８５は、前側送風側板８０と前後方向に対象的な形状を有しており、本実施形態では共通の形状の部品を用いている。後側送風側板８５も、１枚の板状部材がプレス加工や折り曲げ加工等されることにより成形されている。後側上面部分８６は、図４、図１０に示すように、ベルマウス７２の上方の円筒形状部分の上端縁部の後側およびその上下近傍を含む後側部分を覆うように、上下左右方向に広がった平面形状の部分である。後側上面部分８６の上方は、ケーシング４０の上端近傍まで広がっている。なお、後側上面部分８６の上端における左右方向の中央近傍は、後側上面部分８６の上端における左右方向の両端近傍と比べると、前側傾斜面８３の下端部分と連続させるために下方に位置している。後側上面部分８６は、後側上面部分８６の下端から、ベルマウス７２の上方の円筒形状部分の上端縁部の後側よりも上方の部分を介して、さらに上方の後側傾斜面８８の下端部分に到るまで、鉛直方向に延びつつ左右に広がった部分を有している。後側下面部分８７は、図４、図１０に示すように、後側上面部分８６の下方に位置しており、ベルマウス７２の下方の矩形部分の後側を覆うように、上下左右方向に広がった平面形状の部分である。後側下面部分８７の下方は、支柱６１の上端まで広がっている。後側載置面８９は、図２、図５、図６、図１０に示すように、ケーシング４０の上端縁部の一部を構成しており、法線方向が鉛直方向となるように平坦状に広がった面である。後側載置面８９は、ケーシング４０の上端縁部の後側を左右方向に延びて縁取るように設けられている。後側載置面８９の左右両端部分近傍の前側端部は、後側上面部分８６の上端と連続している。なお、後側載置面８９の前側端における左右方向の中央近傍は、前側端の左右方向の両端近傍と比べると、後側傾斜面８８の上端部分と連続させるために後側に位置している。後側傾斜面８８は、図５、図６、図７、図１０に示すように、後側載置面８９の前側の左右方向における中央部分と、後側上面部分８６の上端の左右方向における中央部分と、を繋ぐように設けられており、上方ほど室外ファン１５の回転軸７５から離れるように傾斜している。後側傾斜面８８は、長手方向が左右方向になるように、ケーシング４０の上方開口のうちの後側縁部に沿って設けられている。
【００６９】
右側側面９３は、図４、図５、図７、図９に示すように、ケーシング４０の支柱６１や室外熱交換器１１の右側部分よりも上方の右側を覆う平面形状の面であり、ベルマウス７２の下端から上端よりもやや上方まで広がっている。
【００７０】
右側載置面９４は、図５、図６、図７、図９に示すように、ケーシング４０の上端縁部の一部を構成しており、右側側面９３の上端から水平方向内側（水平方向左側）に向けて広がっており、法線方向が鉛直方向となるように平坦状に広がった面である。右側載置面９４は、ケーシング４０の上端縁部の右側を前後方向に延びて縁取るように設けられている。
【００７１】
左側側面９８は、図４、図８に示すように、ケーシング４０の支柱６１や室外熱交換器１１の左側部分よりも上方の左側を覆う平面形状の面であり、ベルマウス７２の下端から上端よりもやや上方まで広がっている。
【００７２】
左側載置面９９は、図５、図６、図７、図８に示すように、ケーシング４０の上端縁部の一部を構成しており、左側側面９８の上端から水平方向内側（水平方向右側）に向けて広がっており、法線方向が鉛直方向となるように平坦状に広がった面である。左側載置面９９は、ケーシング４０の上端縁部の左側を前後方向に延びて縁取るように設けられている。
【００７３】
右側ディフューザ面９１は、図５、図６、図７、図９に示すように、右側載置面９４の内側（左側）端部から左側に向かうほど下方に延びるように傾斜して設けられた平面状の傾斜面である。この右側ディフューザ面９１は、平面視において、ベルマウス７２の上端部分の右側縁部と、右側載置面９４の左側縁部と、の間を覆うように広がっている。右側ディフューザ面９１の下端（左側端部）は、平面視において、ベルマウス７２の上端部分の右側縁部に沿うように円弧形状を形成している。また、右側ディフューザ面９１の下端（左側端部）は、左側から見た場合に、ベルマウス７２の上端部分よりも上方において、中央近傍が上方に向けて膨出した形状を有している。この右側ディフューザ面９１は、平面視において、ベルマウス７２の上方の円筒形状の右側縁部のうち、当該円筒形状の中心の角度が９０度〜１５０度程度分となる部分を縁取っており、ベルマウス７２の上方の円筒形状の右側部分のうち、前側近傍と後側近傍には設けられていない。右側ディフューザ面９１の下端は、前側送風側板８０の前側傾斜面８３の下端や、後側送風側板８５の後側傾斜面８８の下端よりもさらに下方まで延びている。右側ディフューザ面９１は、その大部分が吹出グリル７３よりも下方に位置している。
【００７４】
右側鉛直曲面９２は、図６、図７、図９に示すように、右側ディフューザ面９１の下端（左側端部）の円弧形状部分から鉛直方向下方に向けて延びた曲面である。すなわち、右側鉛直曲面９２は、ベルマウス７２の上方部分の円筒形状の周面に沿った曲面を構成している。右側鉛直曲面９２の下端は、ベルマウス７２の上端の円弧部分の右側と左右方向において重なる位置まで下方に延びている。右側鉛直曲面９２の下端は、ベルマウス７２の上端の円弧部分の右側の縁部との間に数ミリの隙間を生じさせつつ、ベルマウス７２の上端の円弧部分の右側の縁部に沿うように延びている。
【００７５】
なお、図９に示すように、右側側面９３と、右側載置面９４と、右側ディフューザ面９１と、右側鉛直曲面９２と、は、１部材としての右側送風側板９０を構成している。この右側送風側板９０は、１枚の板状部材がプレス加工や折り曲げ加工等されることにより成形されている。
【００７６】
左側ディフューザ面９６は、図５、図６、図７、図８に示すように、左側載置面９９の内側（右側）端部から右側に向かうほど下方に延びるように傾斜して設けられた平面状の傾斜面である。この左側ディフューザ面９６は、平面視において、ベルマウス７２の上端部分の左側縁部と、左側載置面９９の右側縁部と、の間を覆うように広がっている。左側ディフューザ面９６の下端（右側端部）は、平面視において、ベルマウス７２の上端部分の左側縁部に沿うように円弧形状を形成している。また、左側ディフューザ面９６の下端（左側端部）は、右側から見た場合に、ベルマウス７２の上端部分よりも上方において、中央近傍が上方に向けて膨出した形状を有している。この左側ディフューザ面９６は、平面視において、ベルマウス７２の上方の円筒形状の左側縁部のうち、当該円筒形状の中心の角度が９０度〜１５０度程度分となる部分を縁取っており、ベルマウス７２の上方の円筒形状の左側部分のうち、前側近傍と後側近傍には設けられていない。左側ディフューザ面９６の下端は、前側送風側板８０の前側傾斜面８３の下端や、後側送風側板８５の後側傾斜面８８の下端よりもさらに下方まで延びている。左側ディフューザ面９６は、その大部分が吹出グリル７３よりも下方に位置している。
【００７７】
左側鉛直曲面９７は、図５、図６、図７、図８に示すように、左側ディフューザ面９６の下端（右側端部）の円弧形状部分から鉛直方向下方に向けて延びた曲面である。すなわち、左側鉛直曲面９７は、ベルマウス７２の上方部分の円筒形状の周面に沿った曲面を構成している。左側鉛直曲面９７の下端は、ベルマウス７２の上端の円弧部分の左側と左右方向において重なる位置まで下方に延びている。左側鉛直曲面９７の下端は、ベルマウス７２の上端の円弧部分の左側の縁部との間に数ミリの隙間を生じさせつつ、ベルマウス７２の上端の円弧部分の左側の縁部に沿うように延びている。
【００７８】
なお、左側側面９８と、左側載置面９９と、左側ディフューザ面９６と、左側鉛直曲面９７と、は、１部材としての左側送風側板９５を構成している。この左側送風側板９５は、右側送風側板９０と左右方向に対象的な形状を有しており、本実施形態では共通の形状の部品を用いている。この左側送風側板９５も、１枚の板状部材がプレス加工や折り曲げ加工等されることにより成形されている。
【００７９】
なお、前側送風側板８０と、後側送風側板８５と、右側送風側板９０と、左側送風側板９５と、は、いずれも別部材として構成されているが、図５，図６、図８に示すように、前側送風側板８０は、左側ディフューザ面９６の左前側近傍の下方に伸び出した図示しない固定片を有しており、左側ディフューザ面９６の左前側近傍において上下方向に延びる螺子６９によって、左側ディフューザ面９６に螺合固定されている。これにより、前側送風側板８０と左側送風側板９５とが固定されている。また、同様に、前側送風側板８０は、右側ディフューザ面９１の右前側近傍の下方に伸び出した図示しない固定片を有しており、右側ディフューザ面９１の右前側近傍において上下方向に延びる螺子６９によって、右側ディフューザ面９１に螺合固定されている。これにより、前側送風側板８０と右側送風側板９０とが固定されている。また、同様に、後側送風側板８５は、左側ディフューザ面９６の左後側近傍の下方に伸び出した図示しない固定片を有しており、左側ディフューザ面９６の左後側近傍において上下方向に延びる螺子６９によって、左側ディフューザ面９６に螺合固定されている。これにより、後側送風側板８５と左側送風側板９５とが固定されている。また、同様に、後側送風側板８５は、右側ディフューザ面９１の右後側近傍の下方に伸び出した図示しない固定片を有しており、右側ディフューザ面９１の右後側近傍において上下方向に延びる螺子６９によって、右側ディフューザ面９１に螺合固定されている。これにより、後側送風側板８５と右側送風側板９０とが固定されている。
【００８０】
（４）室外ユニットのケーシングの上方部分の配置関係
前側送風側板８０の前側下面部分８２と、後側送風側板８５の後側下面部分８７と、右側側面９３と、左側側面９８と、は、図４に示すように、平面視において、室外熱交換器１１よりも外側に位置している。
【００８１】
本実施形態では、室外熱交換器１１は、図４に示すように、平面視において、室外ファン１５やベルマウス７２の上端の円弧よりも外側に配置されている。
【００８２】
また、前側送風側板８０の前側上面部分８１は、図４、図１０に示すように、前側送風側板８０の前側下面部分８２よりも内側（後側）に位置している。すなわち、図１０に示すように、前側送風側板８０の前側上面部分８１とベルマウス７２の上前側端部との前後方向の距離Ａ（前後方向の最短距離）は、前側送風側板８０の前側下面部分８２とベルマウス７２の上前側端部との前後方向の距離Ｂ（前後方向の最短距離）よりも短くなるように構成されている。このように、前側送風側板８０は、前側下面部分８２よりも前側上面部分８１が後側に位置していることで、ベルマウス７２の上端の前側部分に近づくように後側に向けて凹んだ形状を有している。
【００８３】
また、後側送風側板８５の後側上面部分８６も同様に、図４、図１０に示すように、後側送風側板８５の後側下面部分８７よりも内側（前側）に位置している。すなわち、図１０に示すように、後側送風側板８５の後側上面部分８６とベルマウス７２の上後側端部との前後方向の距離は、後側送風側板８５の後側下面部分８７とベルマウス７２の上後側端部との前後方向の距離よりも短くなるように構成されている。
【００８４】
このように、後側送風側板８５は、後側下面部分８７よりも後側上面部分８６が前側に位置していることで、ベルマウス７２の上端の後側部分に近づくように前側に向けて凹んだ形状を有している。
【００８５】
図４に示すように、平面視において、右側側面９３と室外ファン１５の回転軸７５までの左右方向の距離（左側側面９８と室外ファン１５の回転軸７５までの左右方向の距離も同様）は、前側下面部分８２と室外ファン１５の回転軸７５までの前後方向の距離（後側下面部分８７と室外ファン１５の回転軸７５までの前後方向の距離も同様）よりも長くなるように構成されている。そして、室外ファン１５の回転軸７５までの距離が長い方については、ベルマウス７２の出口付近に近づくように右側ディフューザ面９１や左側ディフューザ面９６が設けられており、室外ファン１５の回転軸７５までの距離が短い方については、ベルマウス７２の出口付近に近づくように前側上面部分８１や後側上面部分８６が設けられている。
【００８６】
また、前側送風側板８０の前側傾斜面８３と、後側送風側板８５の後側傾斜面８８と、右側ディフューザ面９１と、左側ディフューザ面９６とは、平面視において重ならない位置に設けられており、平面視においてベルマウス７２の上端の円よりも外側を囲うように配置されている。
【００８７】
なお、前側送風側板８０の前側載置面８４と、後側送風側板８５の後側載置面８９と、右側載置面９４と、左側載置面９９とは、いずれもケーシング４０の上端縁部を構成しており、同一高さ位置において水平面上に広がるように設けられている。
【００８８】
（５）特徴
（５−１）
仮に、右側ディフューザ面９１や左側ディフューザ面９６を設けることなく、ベルマウス７２の上端の円筒形状部分の流路から流出した空気流れが、急拡大した流路に導かれる場合には、ベルマウス７２の出口の空気流れ方向の下流側であってベルマウス７２の前後付近において空気渦が発生してしまうおそれがある。
【００８９】
これに対して、本実施形態に係る空気調和装置１の室外ユニット２では、ベルマウス７２の上端の空気流れ方向の下流側であって、ケーシング４０の上端の出口（前側載置面８４、後側載置面８９、右側載置面９４、左側載置面９９の内縁で囲まれた部分）よりも空気流れ方向の上流側において、ベルマウス７２の上端の円筒形状部分の右側周囲を覆う右側側面９３とベルマウス７２の上端の右側部分との間に、右側ディフューザ面９１が設けられている。また、左側についても同様に、ベルマウス７２の上端の空気流れ方向の下流側であって、ケーシング４０の上端の出口よりも空気流れ方向の上流側において、ベルマウス７２の上端の円筒形状部分の左側周囲を覆う左側側面９８とベルマウス７２の上端の左側部分との間に、左側ディフューザ面９６が設けられている。
【００９０】
このため、ベルマウス７２の上端を上方に通過した空気流れの流路が急拡大することを防ぐことができ、ベルマウス７２の上端の空気流れ方向の下流側端部からケーシング４０の上端の出口に到るまでの空気流れの流路をなだらかに拡大させることが可能になっている。
【００９１】
これにより、ベルマウス７２の下流側における空気渦の発生を抑えることが可能になり、室外ファン１５によって形成される風量の低減を抑え、風量の増大を図ることが可能になっている。
【００９２】
特に、本実施形態の室外ユニット２の右側ディフューザ面９１と左側ディフューザ面９６は、平面視において、ベルマウス７２の上端部分から外側に向けて、ケーシング４０の上端の出口に到るまで広がっている。このため、ベルマウス７２の上端とケーシング４０の出口との間で流路を十分に拡大させることができている。これにより、ディフューザ効果を十分に得ることが可能になっている。
【００９３】
また、右側ディフューザ面９１と左側ディフューザ面９６は、その大部分が吹出グリル７３よりも下方に位置しているため、ベルマウス７２を通過した空気流れが吹出グリル７３に到達するまでに、空気流れの流速を効果的に落とすことができている。このため、空気流れが吹出グリル７３に衝突することによる圧力損失を低減し、室外ファン１５によって形成される風量の低減を抑え、風量を増大させることが可能になっている。
【００９４】
（５−２）
また、本実施形態に係る空気調和装置１の室外ユニット２では、前側送風側板８０の前側載置面８４と、後側送風側板８５の後側載置面８９と、右側載置面９４と、左側載置面９９とが、いずれもケーシング４０の上端縁部を構成しており、同一高さ位置において水平面上に広がるように設けられている。
【００９５】
このため、複数台の室外ユニット２を倉庫等において保管する際に、室外ユニット２を縦に積載させて、安定的に段積み配置させることが可能になっており、保管スペースの面積を小さくすることが可能になっている。
【００９６】
（５−３）
また、本実施形態の室外ユニット２では、ケーシング４０のベルマウス７２の周囲を覆っている部分のうち、前側の前側送風側板８０においては、前側下面部分８２の面をそのまま上方に向けて広げるのではなく、前側下面部分８２よりも後方であってよりベルマウス７２の上端部分の前側端部に近い位置に沿わせることができるように、前側送風側板８０を後側に凹ませて前側上面部分８１を設けている。また、後側の後側送風側板８５においても同様に、後側下面部分８７の面をそのまま上方に向けて広げるのではなく、後側下面部分８７よりも前方であってよりベルマウス７２の上端部分の後側端部に近い位置に沿わせることができるように、後側送風側板８５を前側に凹ませることで後側上面部分８６を設けている。
【００９７】
このように、右側ディフューザ面９１や左側ディフューザ面９６が設けられていないベルマウス７２の前後方向においても、空気渦の発生を抑えることが可能になり、室外ファン１５によって形成される風量の低減を抑え、風量の増大を図ることが可能になっている。
【００９８】
（５−４）
また、本実施形態に係る空気調和装置１の室外ユニット２では、右側ディフューザ面９１と左側ディフューザ面９６が設けられているだけでなく、前側送風側板８０の上端近傍において、空気流れの下流側ほど前側に位置するように傾斜した前側傾斜面８３が設けられており、後側送風側板８５の上端近傍においても同様に、空気流れの下流側ほど後側に位置するように傾斜した後側傾斜面８８が設けられている。
【００９９】
これにより、ベルマウス７２を通過した空気流れがケーシング４０の上端から外部に導かれる前に、空気流れの流路をより一層、なだらかに拡大させることが可能になっている。これにより、ディフューザ効果をさらに得ることが可能になっている。
【０１００】
（５−５）
本実施形態の室外ユニット２では、右側ディフューザ面９１と左側ディフューザ面９６が、ベルマウス７２の上端の円弧周辺まで斜め下方に延び出しており、さらに、右側鉛直曲面９２と左側鉛直曲面９７とが鉛直下方に向けて広がっている。
【０１０１】
このため、ベルマウス７２を通過した空気流れを、右側ディフューザ面９１と左側ディフューザ面９６で囲まれた流路に到達させる前に、そのまま直進させる部分を長く確保することができるため、室外ファン１５による風量の低減を抑え、風量をより増大させることが可能になっている。
【０１０２】
また、前側送風側板８０の前側上面部分８１についても、ベルマウス７２より空気流れ下流側の部分においても鉛直方向に広がっており、後側送風側板８５の後側上面部分８６についても同様に、ベルマウス７２より空気流れ下流側の部分においても鉛直方向に広がっている。このため、ベルマウス７２を通過した後の空気流れを、そのまま直進させる部分を長く確保することができているため、室外ファン１５による風量の低減を抑え、風量をより増大させることが可能になっている。
【０１０３】
（５−６）
また、実施形態の室外ユニット２では、右側側面９３と右側ディフューザ面９１とは、一体形成された１つの部材として設けられている。同様に、左側側面９８と左側ディフューザ面９６とも、一体形成された１つの部材として設けられている。このため、両者を螺子によって固定する必要が無く（螺子を省略できる点で部品点数を削減でき）、取り付け作業を容易にすることができる。また、螺子が不要になることにより、外観をすっきりとした印象にすることが可能になる点で意匠性を向上させることが可能になっている。
【０１０４】
なお、前側送風側板８０と、後側送風側板８５と、右側送風側板９０と、左側送風側板９５とは、螺子６９によって互いに螺合されているが、当該螺子６９は、ケーシング４０の側方から視認することができないため、この点でも意匠性を向上させることができている。
【０１０５】
（５−７）
また、本実施形態の室外ユニット２の右側送風側板９０における右側ディフューザ面９１と左側送風側板９５における左側ディフューザ面９６とは、いずれも平面形状であるため、部材の形状加工が容易である。
【０１０６】
（５−８）
本実施形態の室外ユニット２では、室外ファン１５の回転軸７５と側面（右側側面９３、左側側面９８、前側下面部分８２、後側下面部分８７）との距離が短い箇所については、ベルマウス７２側に向けて凹んだ形状（前側送風側板８０における前側上面部分８１や後側送風側板８５における後側上面部分８６）が設けられており、室外ファン１５の回転軸７５と側面との距離が長い箇所については、右側ディフューザ面９１や左側ディフューザ面９６が設けられている。
【０１０７】
このため、室外ファン１５の回転軸７５との距離が短い箇所については、側面を凹ませるだけの形状変形によって簡単にベルマウス７２の出口に沿わせることが可能になっている。
【０１０８】
また、室外ファン１５の回転軸７５との距離が長い箇所については、右側ディフューザ面９１や左側ディフューザ面９６を設けることで、流路をなだらかに拡大させることが可能になっている。
【０１０９】
（６）変形例
上記実施形態は、以下の変形例に示すように適宜変形が可能である。なお、各変形例は、矛盾が生じない範囲で他の変形例と組み合わせて適用されてもよい。
【０１１０】
（６−１）変形例Ａ
上記実施形態では、右側ディフューザ面９１と右側側面９３とが一体形成された１つの部材としての右側送風側板９０（左側ディフューザ面９６と左側側面９８とも同様に一体形成された１つの部材としての左側送風側板９５）を例に挙げて説明した。
【０１１１】
しかし、図１２に示すように、右側ディフューザ面９１ａと右側鉛直曲面９２ａと右側載置面９４ａとを有する第１部材９０ａと、右側側面９３と接合面９４ｂとを有する第２部材９０ｂと、が別部材として別体に構成されていてもよい。なお、これらの第１部材９０ａと第２部材９０ｂとは、右側載置面９４ａと接合面９４ｂとを重ねた状態で、上方から螺子６９ａによって螺合固定されるようにしてもよい。この場合においても、螺子６９ａは、ケーシング４０の側方から視認されないため、外観をすっきりした印象にすることができる。
【０１１２】
（６−２）変形例Ｂ
上記実施形態では、ベルマウス７２の出口の右側と左側にディフューザ面を設け、ベルマウス７２の前後については前側送風側板８０や後側送風側板８５を設ける構造を例に挙げて説明した。
【０１１３】
しかし、ディフューザ面を設ける位置としては、これに限定されず、例えば、ベルマウス７２の出口の前側と後側においてもディフューザ面を設けるようにしてもよい。すなわち、ベルマウス７２の下流側において、上方に向かうほど室外ファン１５の回転軸７５から前側に離れるように傾斜した前側ディフューザ面と、上方に向かうほど室外ファン１５の回転軸７５から後側に離れるように傾斜した後側ディフューザ面と、を設けた構造としてもよい。
【０１１４】
この場合であっても、ベルマウス７２の下流側における空気渦の発生を抑制させることが可能であり、ディフューザ効果も十分に得ることができる。
【０１１５】
また、ベルマウス７２の前後左右の全ての方向にディフューザ面を設ける場合には、例えば、室外ユニット２０２の平面図である図１３、共通送風側板２９０の室外ファン１５の回転軸７５側から見た図である図１４に示すように、ベルマウス７２の前側と後側と右側と左側に配置される部材を共通化させた共通送風側板２９０を４つ組み合わせて用いるようにしてもよい。
【０１１６】
共通送風側板２９０は、上側ほど室外ファン１５の回転軸７５から離れるように傾斜したディフューザ面２９１を有しており、ディフューザ面２９１の中央下端からはベルマウス７２の円弧形状に沿うように鉛直下方に向けて鉛直曲面２９２が設けられている。なお、ディフューザ面２９１の上端からは、鉛直下方に向けて広がった側面２９３が延びている。そして、この共通送風側板２９０は、ベルマウス７２の周囲を囲うことができるように、鉛直曲面２９２を挟むように第１対向面２９５と第２対向面２９６とが設けられている。すなわち、ベルマウス７２を４つの共通送風側板２９０によって囲った状態では、ある共通送風側板２９０の第１対向面２９５が、隣り合う共通送風側板２９０の第２対向面２９６と対面するように配置されることになる。
【０１１７】
このような４つの共通送風側板２９０を用いた場合であっても、上記実施形態と同様の効果を奏することが可能になる。
【０１１８】
なお、図１３、図１４に示す例においては、上記実施形態における前側載置面８４、後側載置面８９、右側載置面９４、左側載置面９９に対応する載置面が設けられていないが、ケーシングの上端縁部が平坦な形状でありさえすれば、載置させる室外ユニットを平面視において多少回転させる等により積載させることは可能である。
【０１１９】
（６−３）変形例Ｃ
上記実施形態では、右側ディフューザ面９１と左側ディフューザ面９６がケーシング４０の上端縁部まで広がっている場合を例に挙げて説明した。
【０１２０】
しかし、ディフューザ面は、ケーシング４０の上端縁部よりも下方であって、ベルマウス７２の上端よりも上方において、平面視におけるベルマウス７２の上端よりも外側の位置に設けられていればよく、ケーシング４０の上端縁部まで広がっている必要はない。
【０１２１】
（６−４）変形例Ｄ
上記実施形態では、平面視において、前側送風側板８０と後側送風側板８５の左右方向の長さが、右側側面９３と左側側面９８の前後方向の長さよりも長い場合を例に挙げて説明した。
【０１２２】
しかし、特にこれに限定されるものではなく、前側送風側板８０と後側送風側板８５の左右方向の長さと、右側側面９３と左側側面９８の前後方向の長さと、を同じにしてもよいし、前側送風側板８０と後側送風側板８５の左右方向の長さが、右側側面９３と左側側面９８の前後方向の長さよりも短くなるようにしてもよい。
【０１２３】
（６−５）変形例Ｅ
上記実施形態では、平面である右側ディフューザ面９１と、平面である左側ディフューザ面９６がケーシング４０の上端縁部まで広がって設けられた場合を例に挙げて説明した。
【０１２４】
しかし、これらのディフューザ面は、平面に限られず、下流側ほど流路が広がるように放射状に広がった曲面で構成されていてもよい。
【０１２５】
また、これらのディフューザ面は、ベルマウス７２の上端からケーシング４０の上端縁部に掛けて平面または曲面が連続的に広がるように設けられている必要は無い。例えば、室外ファン１５の回転軸７５から離れるように傾斜した平面または曲面のディフューザ面が複数存在し、これらのディフューザ面が室外ファン１５の回転軸７５が延びる方向において互いに離れて配置される等のように、ディフューザ面を複数有して構成されていてもよい。
【産業上の利用可能性】
【０１２６】
本発明は、ファンとベルマウスをケーシング内に収容している冷凍装置の室外ユニットに利用可能である。
【符号の説明】
【０１２７】
１    空気調和装置（冷凍装置）
２    室外ユニット
７    アキュムレータ
８    圧縮機
９    油分離器
１１  室外熱交換器（熱交換器）
１５  室外ファン（ファン）
４０  ケーシング
５１  底フレーム
６９ａ  螺子
７２  ベルマウス
７３  吹出グリル
７５  回転軸
８０  前側送風側板（側面）
８１  前側上面部分（凹んだ形状）
８２  前側下面部分
８３  前側傾斜面
８４  前側載置面（平坦形状）
８５  後側送風側板（側面）
８６  後側上面部分（凹んだ形状）
８７  後側下面部分
８８  後側傾斜面
８９  後側載置面（平坦形状）
９０  右側送風側板
９０ａ  第１部材（ディフューザ面を有する部材）
９０ｂ  第２部材（側面を有する部材）
９１  右側ディフューザ面（ディフューザ面）
９１ａ  右側ディフューザ面（ディフューザ面）
９２  右側鉛直曲面（連絡面）
９２ａ  右側鉛直曲面（連絡面）
９３  右側側面（側面）
９３ｂ  右側側面（側面）
９４  右側載置面（平坦形状）
９５  左側送風側板
９６  左側ディフューザ面（ディフューザ面）
９７  左側鉛直曲面（連絡面）
９８  左側側面（側面）
９９  左側載置面（平坦形状）
２０２  室外ユニット
２９１  ディフューザ面
２９２  鉛直曲面（連絡面）
２９３  側面
【先行技術文献】
【特許文献】
【０１２８】
【特許文献１】特開２０１４−１２９９２１号公報
【図１】
0006256516.tif 000002
【図２】
0006256516.tif 000003
【図３】
0006256516.tif 000004
【図４】
0006256516.tif 000005
【図５】
0006256516.tif 000006
【図６】
0006256516.tif 000007
【図７】
0006256516.tif 000008
【図８】
0006256516.tif 000009
【図９】
0006256516.tif 000010
【図１０】
0006256516.tif 000011
【図１１】
0006256516.tif 000012
【図１２】
0006256516.tif 000013
【図１３】
0006256516.tif 000014
【図１４】
0006256516.tif 000015